(57)【要約】【課題】  ユーザが煩雑な作業を行うことなく、かつ経済的な負担をかけずに、所望の形状に切り抜かれたテープを対象物に貼着することができるカッティングテープ、テープカートリッジ、およびカッティング装置を提供することをその課題とする。【解決手段】  任意の形状に切り抜かれるカッティングテープＴであって、アプリケーションテープ層５０と、アプリケーションテープ層５０の裏面に貼着したカッティングテープ層６０と、カッティングテープ層６０の裏面に貼着した剥離紙層７０と、を備え、アプリケーションテープ層５０は、表面側の転写テープ層５１と、裏面側の転写用粘着剤層５２とを有し、カッティングテープ層６０は、表面側の基材テープ層６１と、裏面側の汎用粘着剤層６２とを備えたものである。【選択図】  図２
2006181932.tif 000002
【特許請求の範囲】
【請求項１】
任意の形状に切り抜かれるカッティングテープであって、
アプリケーションテープ層と、
当該アプリケーションテープ層の裏面に貼着したカッティングテープ層と、
当該カッティングテープ層の裏面に貼着した剥離紙層と、を備え、
前記アプリケーションテープ層は、表面側の転写テープ層と、裏面側の転写用粘着剤層とを有し、
前記カッティングテープ層は、表面側の基材テープ層と、裏面側の汎用粘着剤層とを有することを特徴とするカッティングテープ。
【請求項２】
前記アプリケーションテープ層が透光性を有することを特徴とする請求項１に記載のカッティングテープ。
【請求項３】
前記転写用粘着剤層の前記基材テープ層に対する粘着力は、前記汎用粘着剤層の前記剥離紙層に対する粘着力よりも強いとともに、前記汎用粘着剤層の貼着対象面に対する粘着力よりも弱いことを特徴とする請求項１または２に記載のカッティングテープ。
【請求項４】
ロール状に巻回した請求項１ないし３のいずれか１項に記載のカッティングテープと、
前記カッティングテープを繰出し自在に収容したカートリッジケースと、を備えたことを特徴とするテープカートリッジ。
【請求項５】
請求項４に記載のテープカートリッジが着脱自在に装着されるカッティング装置であって、
前記テープカートリッジから繰り出された前記カッティングテープの裏面に臨み、前記剥離紙層および前記カッティングテープ層をカットするカッティングバイトと、
前記カッティングバイトを前記カッティングテープの送り方向に直交する方向に往復動させるバイト移動手段と、
前記カッティングテープを前記テープカートリッジから繰出すとともに、前記バイト移動手段に同期して正逆送りする送り手段と、を備えたことを特徴とするカッティング装置。
【発明の詳細な説明】
【技術分野】
【０００１】
本発明は、文字や記号といった任意の形状に切り抜かれるカッティングテープ、テープカートリッジ、およびカッティング装置に関するものである。
【背景技術】
【０００２】
従来、基材テープ層と剥離紙層との２層からなるテープに対し、基材テープ層を所望の形状に合わせてカット（アウトラインカット）するとともに、基材テープ層および剥離紙層を切断（フルカット）するカッティング装置が知られている（例えば特許文献１参照）。この場合、カッティング装置によって処理が行われた後、ユーザは、１．基材テープ層の不要部を除去する作業、２．アプリケーションシートと呼ばれる透明の粘着性シートをテープ表面に貼り付ける作業（この作業により剥離紙層が基材テープ層から剥離される）、３．テープを対象物に貼着させた後、アプリケーションシートを引き剥がす作業、を行うことで、所望の形状に切り抜かれたテープを、装飾や表示を目的としてガラス等に貼着することができる。特に、切り抜き文字等は、アプリケーションシートを用いることにより、整列配置した切り抜き文字の配置のまま、対象物に貼着することができる。
【０００３】
このように、上記のアプリケーションシートは、切り抜き文字等の並びを乱すことなく一括して貼着するためのものであるが、ユーザにとってこのアプリケーションシートをテープ表面に貼り付ける作業は、皺や位置ずれ等のミスが発生し易く非常に煩雑な作業となっていた。特に、角度ずれはアプリケーションシート自体が水平等の基準となるため、切り抜き文字等が傾いて貼着されてしまう等の問題を生じる。さらに、基材テープとアプリケーションテープとの双方が必要なため、どちらか一方のみが無くなった場合にも、新たにテープの購入が必要となり、ユーザの経済的な負担となっていた。
【特許文献１】特開２００４−１１４２１０号公報
【発明の開示】
【発明が解決しようとする課題】
【０００４】
上記の問題に鑑み、本発明は、ユーザが煩雑な作業を行うことなく、かつ経済的な負担をかけずに、所望の形状に切り抜かれたテープを対象物に貼着することができるカッティングテープ、テープカートリッジ、およびカッティング装置を提供することをその課題とする。
【課題を解決するための手段】
【０００５】
本発明のカッティングテープは、任意の形状に切り抜かれるカッティングテープであって、アプリケーションテープ層と、当該アプリケーションテープ層の裏面に貼着したカッティングテープ層と、当該カッティングテープ層の裏面に貼着した剥離紙層と、を備え、アプリケーションテープ層は、表面側の転写テープ層と、裏面側の転写用粘着剤層とを有し、カッティングテープ層は、表面側の基材テープ層と、裏面側の汎用粘着剤層とを有することを特徴とする。
【０００６】
この構成によれば、カッティングテープの剥離紙層側から、剥離紙層とカッティングテープ層とを切断し、カッティングテープ層の不要部および剥離紙層全体を剥離することで、所望の形状に切り抜かれた、アプリケーションテープ付カッティングテープを構成することができる。そして、汎用粘着剤層を対象物に貼着させるとともに、カッティングテープ層からアプリケーションテープ層を引き剥がすことによって、所望の形状に切り抜かれたカッティングテープを対象物に容易に貼着することができる。従って、ユーザがアプリケーションテープを貼着する手間を省くことができると同時に、アプリケーションテープの貼着に関わる作業ミスを防止することができる。さらに、アプリケーションテープとカッティングテープとの双方を用意する必要が無いため、どちらか一方がなくなった場合に新たに購入するといった経済的な無駄が生じる虞もない。
【０００７】
この場合、アプリケーションテープ層が透光性を有することが好ましい。
【０００８】
この構成によれば、アプリケーションテープ層が透光性を有することから、アプリケーションテープ層側からカッティングテープ層を透かして視認することができるので、カッティングテープを貼着面に貼り付ける作業や位置決めの作業が容易となる。
【０００９】
また、この場合、転写用粘着剤層の基材テープ層に対する粘着力は、汎用粘着剤層の剥離紙層に対する粘着力よりも強いとともに、汎用粘着剤層の貼着対象面に対する粘着力よりも弱いことが好ましい。
【００１０】
この構成によれば、剥離紙層を汎用粘着剤層から容易に剥離可能であるとともに、汎用粘着剤層を貼着対象面に貼着させた状態で、アプリケーションテープ層をカッティングテープ層から容易に引き剥がすことができる。
【００１１】
本発明のテープカートリッジは、ロール状に巻回した上記のいずれか１項に記載のカッティングテープと、カッティングテープを繰出し自在に収容したカートリッジケースと、を備えたことを特徴とする。
【００１２】
この構成によれば、上記のいずれか１項に記載のカッティングテープを収容するテープカートリッジをカッティング装置に装着することにより、ユーザがカッティング作業を行う手間を省くことができるだけでなく、さらにアプリケーションテープの貼着といった煩雑な作業を行うことなく、所望の形状に切り抜かれたカッティングテープを対象物に容易に貼着することができる。
【００１３】
本発明のカッティング装置は、上記に記載のテープカートリッジが着脱自在に装着されるカッティング装置であって、テープカートリッジから繰り出されたカッティングテープの裏面に臨み、剥離紙層およびカッティングテープ層をカットするカッティングバイトと、カッティングバイトをカッティングテープの送り方向に直交する方向に往復動させるバイト移動手段と、カッティングテープをテープカートリッジから繰出すとともに、バイト移動手段に同期して正逆送りする送り手段と、を備えたことを特徴とする。
【００１４】
この構成によれば、上記に記載のテープカートリッジが着脱自在に装着されるカッティング装置を用いてカッティング文字を作成することによって、ユーザがカッティング作業を行う手間を省くことができるだけでなく、さらにアプリケーションテープの貼着といった煩雑な作業を行うことなく、所望の形状に切り抜かれたカッティングテープを対象物に容易に貼着することができる。
【発明を実施するための最良の形態】
【００１５】
以下、本発明の一実施形態に係るカッティングテープ、テープカートリッジ、およびカッティング装置について、添付図面を参照して説明する。本実施形態のカッティング装置は、カッティングテープを送りながら、これにフルカットおよび切抜きカットを行うものである。
【００１６】
最初に、本実施形態に係るカッティング装置１の構成について、図１を参照して簡単に説明する。カッティング装置１は、カッティングテープＴを走行経路Ａに沿って送るテープ送り機構１０と、カッティングテープＴを所定の寸法に切り離すフルカット機構２０と、テープ送り機構１０と協働して切り離したカッティングテープＴ（テープ片）を任意の切抜き形状にカットする切抜きカット機構３０と、これら各機構を統括制御するコントローラ（図示省略）とを備えている。
【００１７】
フルカット機構２０および切抜きカット機構３０は、図示する走行経路Ａに順に臨んでいる。すなわち、切抜きカット機構３０が走行経路Ａの下流側に臨み、その上流側にフルカット機構２０が臨んでいる。これにより、フルカット、切抜きカットの順でテープ処理が行われる。
【００１８】
また、装置本体内には、フルカット機構２０の走行経路Ａから外れ、走行経路Ａに対し略直交して装置本体の後方に向かう分岐経路Ｂが構成されている。分岐経路Ｂは、切抜きカット処理時にカッティングテープＴを正逆送りする際に、カッティングテープＴをフルカット機構２０に干渉しないように導くためのものである。分岐経路Ｂは、カッティングテープＴの巻癖に対応してその巻癖方向に延在しており、その下流端には、カッティングテープＴの尾端側を装置本体内で繰り入れるようにして収容するテープ退避部４０が構成されている。
【００１９】
したがって、切抜きカット処理時に切抜きカット機構３０の位置で正逆送りされるカッティングテープＴは、走行経路Ａの下流側および分岐経路Ｂ間の往復動経路Ｃを往復走行し、適宜、その尾端側の一部がテープ退避部４０に出入りし且つその先端側の一部がテープ排出口２から装置本体外部に出入りしながら往復走行する。そして、処理済のカッティングテープＴは、最終的に、テープ排出口２から送り出されるようになっている（排出）。
【００２０】
テープ送り機構１０は、正方向（図１における時計回り）に回転して、テープカートリッジ３からカッティングテープＴを繰出して走行経路Ａに送り出す繰出しローラ１１と、繰出しローラ１１の下流側の走行路経路Ａに配設され、カッティングテープＴを正逆送りする送りローラ１２と、送りローラ１２の下流側の走行経路Ａに配設された第１引張りローラ１３と、分岐経路Ｂに配設された第２引張りローラ１４と、を有している。また、図示は省略するが、上記の繰出しローラ１１、送りローラ１２、第１引っ張りローラ１３並びに第２引っ張りローラ１４を駆動するモータおよび動力伝達機構が装置本体に内蔵されている。
【００２１】
繰出しローラ１１は、走行経路Ａを挟んで対峙する繰出し駆動ローラ１１ａおよび繰出し従動ローラ１１ｂから構成されている。また、送りローラ１２は、走行経路Ａを挟んで対峙する送り駆動ローラ１２ａおよび送り従動ローラ１２ｂから構成され、送り駆動ローラ１２ａは、モータ駆動により正逆方向に回転可能に構成されている。一方、第１引張りローラ１３は、走行経路Ａを挟んで対峙する第１駆動ローラ１３ａおよび第１従動ローラ１３ｂから構成されるとともに、第２引張りローラ１４は、分岐経路Ｂ（カッティングテープＴ）を挟んで対峙する第２駆動ローラ１４ａおよび第２従動ローラ１４ｂから構成されている。すなわちこれら複数のローラはいわゆるグリップローラで構成されている。
【００２２】
そして、第１・第２両引張りローラ１３、１４は、送りローラ１２に対しカッティングテープＴを先行送りする一方向にのみ駆動回転するようになっている。すなわち、送りローラ１２を主正逆送りローラ（メイン送りローラ）としてテープ送り量が制御され、それぞれの従動ローラが交互に離説制御される。これにより、第１・第２引張りローラ１３、１４と協働してカッティングテープＴが正逆送りされる。
【００２３】
続いて、フルカット機構２０および切抜きカット機構３０について説明する。フルカット機構２０のスライドカッタ２１と、切抜きカット機構３０のカッティングバイト３１とは、共通のキャリッジ（図示省略）に搭載されており、スライドカッタ２１は送りローラ１２の上流側に位置し、カッティングバイト３１は送りローラ１２の下流側に位置している。そして、フルカット機構２０および切抜きカット機構３０は、キャリッジをカッティングテープＴの送り方向に直交する方向に往復動させる往復動機構（バイト移動機構）と、往復動機構を駆動する正逆回転可能なキャリッジモータと、を共用している（いずれも図示省略）。
【００２４】
スライドカッタ２１は、先端部にカッタ刃を有し、カッティングテープＴを切断（フルカット）する。一方、カッティングバイト３１は、カッティングテープＴに対し、Ｘ・Ｙ方向に相対的にカット移動することによって、カッティングテープＴを切抜きカットする。すなわち、テープ送り機構１０によるカッティングテープＴの正逆送りに同期して、カッティングバイト３１がカッティングテープＴに直交する方向に移動して、切抜きカットが行われる。なお、「切抜きカット」とは、複数層から成るカッティングテープＴに対し（詳細は後述する）一部の層を切断（アウトラインカット）するものである。
【００２５】
また、図示は省略するが、本実施形態のカッティング装置１は、上記の構成に加えて、入力手段となるキーボードや、切抜きカット（アウトラインカット）を行うためのアウトラインフォントデータを記憶する記憶手段を備えている。さらに、カッティング装置１に着脱自在に装着されるテープカートリッジ３およびカッティングテープＴについて説明する。
【００２６】
テープカートリッジ３は、カートリッジケース（図示省略）により外殻を形成され、カートリッジケース内には、カッティングテープＴが収容されている。カッティングテープＴは、テープリール５に繰り出し自在に巻回されており、テープリール５はカートリッジケースに回転自在に収容されている。
【００２７】
カッティングテープＴは、図２に示すように、透光性を有するアプリケーションテープ層５０と、アプリケーションテープ層５０の裏面に貼着したカッティングテープ層６０と、カッティングテープ層６０の裏面に貼着した剥離紙層７０との３層から構成されている。アプリケーションテープ層５０は、例えば文字状に切り抜かれたカッティングテープ層６０において、その並びを乱すことなく貼着するためのものであり、表面側には転写テープ層５１を、裏面側には転写用粘着剤層５２を備えている。
【００２８】
カッティングテープ層６０は、表面側に、基材テープ層６１と、裏面側の汎用粘着剤層６２とを有している。また、転写テープ層５１および基材テープ層６１はＰＥＴ（ポリエチレンテレフタレート）材等の薄手の樹脂製テープ材で構成されている。なお、転写テープ層５１は可撓性であり、ある程度腰の強いものが好ましい。剥離紙層７０は、上質紙等で構成され、カッティングテープＴを貼着対象面に貼着する時まで、汎用粘着剤層６２に埃などが付着しないようにするためのものである。
【００２９】
また、転写用粘着剤層５２の基材テープ層６１に対する粘着力は、汎用粘着剤層６２の剥離紙層７０に対する粘着力よりも強くなるように調整され、且つ汎用粘着剤層６２の貼着対象面に対する粘着力よりも、弱くなるように調整されている。従って、基材テープ層６１から剥離紙層７０を容易に剥離可能であるとともに、カッティングテープＴを貼着対象面に貼着させた状態で、アプリケーションテープ層５０を、基材テープ層６１から容易に引き剥がすことが可能となる。
【００３０】
また、カッティングテープＴは、剥離紙層７０が外側となるようにテープリール５に巻回され、テープカートリッジ３に収容されている。従って、テープカートリッジ３から繰出されたカッティングテープＴは、走行経路Ａにおいて剥離紙層７０側、すなわちカッティングテープＴの裏面側が、フルカット機構２０および切抜きカット機構３０に臨むようになっている。そして、フルカット機構２０は、剥離紙層７０、カッティングテープ層６０、並びにアプリケーションテープ層５０を切断し（フルカット）、切抜きカット機構３０は、剥離紙層７０およびカッティングテープ層６０を所望の形状に切抜きカットする。
【００３１】
なお、剥離紙層７０が内側となるようにテープリール５にカッティングテープＴを巻回し、テープカートリッジ３に収容する構成でもよい。この場合、カッティングテープＴの剥離紙層７０側が、フルカット機構２０および切抜きカット機構３０に臨むように配設する必要がある。
【００３２】
次に、フルカット処理および切抜きカット処理の一連の流れについて、再び図１を参照して説明する。最初に、ユーザによって所望の切抜き形状（例えばＡ、Ｂ、Ｃ）が選択され、処理の実行が指示される。すると、先ずテープ送り機構１０が駆動して、テープカートリッジ３内でカッティングテープＴが繰出され、選択された切抜き形状に基づいて必要分テープ送りが行われ、送り停止したところで、フルカット機構２０のスライドカッタ２１が直線的に移動してカッティングテープＴを切断する。
【００３３】
続いて、テープ送り機構１０および切抜きカット機構３０が駆動して、切離したカッティングテープＴ（テープ片）に、切抜き形状（Ａ、Ｂ、Ｃ）のアウトラインをカットする切抜きカットが行われる。具体的には、フルカット後、切り離されたカッティングテープＴ（テープ片）が数ステップ送られたところで、フルカット機構２０の下流側直近に位置する経路変更部材６により、走行経路Ａが遮断されると同時に、往復動経路Ｃが確立する。ここで、テープ送り機構１０は、カッティングテープＴの正逆送りに移行し、且つこの正逆送りに同期して、カッティングバイト３１がカッティングテープＴに直交する方向に移動して、切抜きカットが行われる。そして、カッティングテープＴがテープ排出口２から送り出されることで、一連の処理が完了する。以上の手順で処理が行われたカッティングテープＴを図３に示す。
【００３４】
さらに、図３に示すカッティングテープＴを、対象物に貼着する手順について図４ないし図６を参照して説明する。図４に示すように、先ず剥離紙層７０全体およびカッティングテープ層６０（基材テープ層６１，汎用粘着剤層６２）の不要部６０ｂを剥離し、カッティングテープ層６０の貼着対象部６０ａおよびアプリケーションテープ層５０（転写テープ層５１，転写用粘着剤層５２）を残す。次に、図５に示すように、露出した汎用粘着剤層６２を貼着面とし、基材テープ層６１およびアプリケーションテープ層５０が手前側になるようにして、対象物１００の貼着対象面１０１に貼着する。さらに、図６に示すように、アプリケーションテープ層５０を、基材テープ層６１から引き剥がす。このようにして、所望の形状に切り抜かれたカッティングテープＴを対象物１００に貼着することができる。
【００３５】
また、基材テープ層および剥離紙層の２層からなる通常の印刷テープに対し、印刷、フルカット、並びに基材テープ層を切断するハーフカットを行う構成のテープ処理装置において、基材テープ層の厚さが、本実施形態に係るカッティングテープＴのカッティングテープ層６０と剥離紙層７０との厚さの和と略等しい場合には、本発明を適用可能であることは言うまでもない。
【図面の簡単な説明】
【００３６】
【図１】本実施形態に係るカッティング装置の各部を示す概略図である。
【図２】カッティングテープの断面図である。
【図３】フルカット／切抜きカット済カッティングテープの一例を示す図である。
【図４】カッティングテープの貼着手順（１）を示す説明図である。
【図５】カッティングテープの貼着手順（２）を示す説明図である。
【図６】カッティングテープの貼着手順（３）を示す説明図である。
【符号の説明】
【００３７】
Ｔ    カッティングテープ            １    カッティング装置      
３    テープカートリッジ          １０    送り機構              
２０    フルカット機構              ３０    切抜きカット機構      
５０    アプリケーションテープ層    ５１    転写テープ層          
５２    転写用粘着剤層              ６０    カッティングテープ層  
６１    汎用粘着剤層                ７０    剥離紙層                
【図１】
2006181932.tif 000003
【図２】
2006181932.tif 000004
【図３】
2006181932.tif 000005
【図４】
2006181932.tif 000006
【図５】
2006181932.tif 000007
【図６】
2006181932.tif 000008